(57)【要約】本発明は、コンテンツ提供サーバ及び少なくとも１つの移動通信端末と連動する待機画面サービス提供システムにおいて、上記少なくとも１つの移動通信端末から状態情報を受信し、上記コンテンツ提供サーバからプッシュメッセージ伝送要請を受けると上記状態情報を考慮して上記少なくとも１つの通信端末にプッシュメッセージを伝送し上記プッシュメッセージ伝送によりコンテンツを上記少なくとも１つの移動通信端末に伝送することを特徴とし、使用者によるコンテンツサーバへの接続なしに利用可能な待機画面サービス提供することができ、使用者の特定要請及び同意なしにまたは使用者の特定要請及び同意の下で特定コンテンツの提供を受けることができ、これによりシステムが自主的に連動システムの間の組合せを経て待機画面占有アプリケーション制御ができる効果がある。【選択図】なし
2009530954.tif 000002
【特許請求の範囲】
【請求項１】
コンテンツ提供サーバ及び少なくとも１つの移動通信端末と連動する待機画面サービスサーバシステムにおいて、
前記少なくとも１つの移動通信端末から状態情報を受信する過程と、
前記コンテンツ提供サーバからプッシュメッセージ伝送要請を受けると前記状態情報を考慮して前記少なくとも１つの通信端末にコンテンツを提供するための情報を含むプッシュメッセージを伝送する過程と、
前記プッシュメッセージ伝送によりコンテンツを前記少なくとも１つの移動通信端末に伝送する過程を含むことを特徴とする待機画面サービスの提供方法。
【請求項２】
前記コンテンツ提供サーバからコンテンツの提供を受け保存する過程をさらに含むことを特徴とする請求項１に記載の待機画面サービスの提供方法。
【請求項３】
前記コンテンツ提供サーバから提供を受けたコンテンツの保存時にコンテンツキーを与える過程をさらに含むことを特徴とする請求項２に記載の待機画面サービスの提供方法。
【請求項４】
前記コンテンツを前記少なくとも１つの移動通信端末に伝送する過程は、前記プッシュメッセージを伝送した後、自動的に予め保存された前記コンテンツを伝送することを特徴とする請求項１または請求項２に記載の待機画面サービスの提供方法。
【請求項５】
前記プッシュメッセージは、メッセージタイプ（ＭＳＧ＿ＴＹＰＥ）フィールド、コンテンツキー（ＣＯＮＴＥＮＴＳ＿ＫＥＹ）フィールド及びアプリケーションデータ（ＡＰＰ＿ＤＡＴＡ）フィールドを含むことを特徴とする請求項４に記載の待機画面サービスの提供方法。
【請求項６】
前記コンテンツを前記少なくとも１つの移動通信端末に伝送する過程は、
前記プッシュメッセージを受信した移動通信端末から待機画面サービスのためのコンテンツ要請を受ける段階と、
前記コンテンツ要請により予め保存された該当コンテンツを前記コンテンツ要請をした移動通信端末に伝送する段階を含むことを特徴とする請求項１または請求項２に記載の待機画面サービスの提供方法。
【請求項７】
前記プッシュメッセージは、メッセージタイプ（ＭＳＧ＿ＴＹＰＥ）フィールド、コンテンツキー（ＣＯＮＴＥＮＴＳ＿ＫＥＹ）フィールド、確認メッセージ（ＣＯＮＦＩＲＭ＿ＭＳＧ）及びアプリケーションデータ（ＡＰＰ＿ＤＡＴＡ）フィールドを含むことを特徴とする請求項６に記載の待機画面サービスの提供方法。
【請求項８】
コンテンツ提供サーバ及び少なくとも１つの移動通信端末と連動する待機画面サービスサーバシステムを含む待機画面サービスシステムにおいて、
前記待機画面サービスサーバシステムが前記少なくとも１つの移動通信端末から状態情報を受信する過程と、
前記待機画面サービスサーバシステムが前記コンテンツ提供サーバからプッシュメッセージ伝送要請を受けると前記状態情報を考慮して前記少なくとも１つの通信端末にプッシュメッセージを伝送する過程と、
前記移動通信端末が前記プッシュメッセージに含まれたページユーアールエル（ＵＲＬ）を確認して接続するサーバをブラウジングする過程と、
前記ブラウジングされたサーバから該当コンテンツの提供を受けアプリケーションに反映する過程を含むことを特徴とする待機画面サービスの提供方法。
【請求項９】
前記移動通信端末が前記プッシュメッセージを受信すると前記プッシュメッセージに含まれたアプリケーションアクションを行ってから使用者から前記ブラウジングをするための同意を得る過程をさらに含むことを特徴とする請求項８に記載の待機画面サービスの提供方法。
【請求項１０】
前記プッシュメッセージは、メッセージタイプ（ＭＳＧ＿ＴＹＰＥ）フィールド、コールバックユーアールエル（ＣＡＬＬＢＡＣＫ＿ＵＲＬ）フィールド及びアプリケーションデータ（ＡＰＰ＿ＤＡＴＡ）フィールドを含むことを特徴とする請求項８に記載の待機画面サービスの提供方法。
【請求項１１】
前記プッシュメッセージは、メッセージタイプ（ＭＳＧ＿ＴＹＰＥ）フィールド、コールバックユーアールエル（ＣＡＬＬＢＡＣＫ＿ＵＲＬ）フィールド、確認メッセージ（ＣＯＮＦＩＲＭ＿ＭＳＧ）及びアプリケーションデータ（ＡＰＰ＿ＤＡＴＡ）フィールドを含むことを特徴とする請求項８または請求項９に記載の待機画面サービスの提供方法。
【請求項１２】
少なくとも１つの移動通信端末と連動する待機画面サービスシステムにおいて、
コンテンツ提供事業者が提供するコンテンツを保存し、プッシュメッセージ要請をするコンテンツ提供サーバと、
前記少なくとも１つの移動通信端末から状態情報を受信し、前記コンテンツ提供サーバからプッシュメッセージ要請を受けると前記状態情報を考慮して前記少なくとも１つの通信端末にプッシュメッセージを伝送し、前記コンテンツ提供サーバから提供されたコンテンツを前記少なくとも１つの移動通信端末に伝送する待機画面サービスサーバシステムを含むことを特徴とする前記待機画面サービスシステム。
【請求項１３】
前記待機画面サービスサーバシステムは、
前記コンテンツ提供サーバからプッシュメッセージ伝送要請を受け、前記プッシュメッセージ要請時または前後にコンテンツの提供を受けて保存するコンテンツ保存管理サーバと、
前記コンテンツ保存管理サーバからプッシュメッセージ要請の伝達を受け、状態情報を要請し、前記状態情報を考慮して前記少なくとも１つの移動通信端末にプッシュメッセージを伝送するプッシュ管理システムサーバと、
前記少なくとも１つの移動通信端末から状態情報を受信し、前記状態情報を前記プッシュ管理システムサーバに伝送するモバイル信号インターフェースサーバを含むことを特徴とする請求項１２に記載の前記待機画面サービスシステム。
【請求項１４】
前記モバイル信号インターフェースサーバは前記少なくとも１つの移動通信端末が前記プッシュメッセージを受信することにより伝送したコンテンツ要請信号を受信し、受信したコンテンツ要請信号を前記コンテンツ保存管理サーバに伝送することを特徴とする請求項１３に記載の前記待機画面サービスシステム。
【請求項１５】
前記コンテンツ保存管理サーバは、前記少なくとも１つの移動通信端末からコンテンツ要請信号を受信し前記モバイル信号インターフェースサーバを通じ前記移動通信端末にコンテンツを提供することを特徴とする請求項１３または請求項１４に記載の前記待機画面サービスシステム。
【請求項１６】
前記プッシュメッセージは、メッセージタイプ（ＭＳＧ＿ＴＹＰＥ）フィールド、コンテンツキー（ＣＯＮＴＥＮＴＳ＿ＫＥＹ）フィールド、確認メッセージ（ＣＯＮＦＩＲＭ＿ＭＳＧ）及びアプリケーションデータ（ＡＰＰ＿ＤＡＴＡ）フィールドを含むことを特徴とする請求項１４に記載の前記待機画面サービスシステム。
【請求項１７】
前記コンテンツ保存管理サーバは、自動的に予め保存されたコンテンツを前記移動通信端末に伝送することを特徴とする請求項１３に記載の前記待機画面サービスシステム。
【請求項１８】
前記プッシュメッセージは、メッセージタイプ（ＭＳＧ＿ＴＹＰＥ）フィールド、コンテンツキー（ＣＯＮＴＥＮＴＳ＿ＫＥＹ）フィールド、確認メッセージ（ＣＯＮＦＩＲＭ＿ＭＳＧ）及びアプリケーションデータ（ＡＰＰ＿ＤＡＴＡ）フィールドを含むことを特徴とする請求項１７に記載の前記待機画面サービスシステム。
【請求項１９】
前記少なくとも１つの移動通信端末は、前記プッシュメッセージが特定ユーアールエル（ＵＲＬ）をブラウジングするための情報を含むと、含まれたページユーアールエル（ＵＲＬ）を確認して接続するサーバをブラウジングし、前記ブラウジングされたサーバから該当コンテンツの提供を受けアプリケーションに反映することを特徴とする請求項１３に記載の前記待機画面サービスシステム。
【請求項２０】
前記プッシュメッセージは、メッセージタイプ（ＭＳＧ＿ＴＹＰＥ）フィールド、コールバックユーアールエル（ＣＡＬＬＢＡＣＫ＿ＵＲＬ）フィールド及びアプリケーションデータ（ＡＰＰ＿ＤＡＴＡ）フィールドを含むことを特徴とする請求項１９に記載の前記待機画面サービスシステム。
【請求項２１】
前記プッシュメッセージは、メッセージタイプ（ＭＳＧ＿ＴＹＰＥ）フィールド、コールバックユーアールエル（ＣＡＬＬＢＡＣＫ＿ＵＲＬ）フィールド、確認メッセージ（ＣＯＮＦＩＲＭ＿ＭＳＧ）及びアプリケーションデータ（ＡＰＰ＿ＤＡＴＡ）フィールドを含むことを特徴とする請求項１９に記載の前記待機画面サービスシステム。
【発明の詳細な説明】
【技術分野】
【０００１】
本発明は、待機画面サービスの提供方法及び待機画面サービスシステムに関するもので、特に移動通信端末とコンテンツサーバ間にメッセージをプッシュ（ＰＵＳＨ）またはプッシュ-プル（ＰＵＳＨ−ＰＵＬＬ）して待機画面サービスを提供するための方法及び待機画面サービスシステムに関するものである。
【背景技術】
【０００２】
一般的に、待機画面サービスは、移動通信端末が待機中の状態で使用者が所望する特定の情報の提供を受けるか、移動通信端末内に保存されていないコンテンツ等を使用することができるサービスのことを言う。
【０００３】
しかし、従来の待機画面サービスでは、事業者がコンテンツサーバから移動通信端末にコンテンツを直接伝送することができず、短文メッセージ（ＳＭＳ）を利用しコンテンツの送信可能の可否を間接的に知らせることが全部であった。また、使用者は事業者から受信した短文メッセージに表示された発信番号やユーアールエル（ＵＲＬ）に接続してデータをダウンロードして使用するしかなかった。
【０００４】
しかし、従来には使用者が移動通信端末機の画面を変えるか、特定の情報の提供を受けるためには移動通信端末が実行中の状態でデータ通信を行いコンテンツサーバからデータを受けてアップデートする方式が主流であった。
【０００５】
そのため、このような従来の方式による場合、使用者は所望の情報やコンテンツを得るために事業者（またはコンテンツサーバ）に電話をかけるか、データ通信を実行しなければならないという不便を甘受しなければならず、接続時からコンテンツが見つかるまでの間の通信料金を払わなければならなかった。その上、事業者は無課金の公告でも使用者の接続がない場合は直接伝送が不可能で、使用者が通信料金の負担により接続を渋る場合が多くコンテンツ市場が活性化されにくかった。
【発明の開示】
【発明が解決しようとする課題】
【０００６】
従って、本発明の目的は使用者によるコンテンツサーバへの接続なしに利用可能な待機画面サービスの提供方法及びシステムを提供することにある。
【０００７】
本発明の他の目的は、使用者の同意が必要ないプッシュ−プル（ＰＵＳＨ−ＰＵＬＬ）方式の待機画面サービスの提供方法及びシステムを提供することにある。
【０００８】
本発明のさらに他の目的は、使用者の同意が必要なプッシュ及びプル（ＰＵＳＨ＆ＰＵＬＬ）方式の待機画面サービス方法及びシステムを提供することにある。
【課題を解決するための手段】
【０００９】
上記のような本発明の目的を達成するための待機画面サービスを提供するための方法は、コンテンツ提供サーバ及び少なくとも１つの移動通信端末と連動する待機画面サービス提供システムにおいて、上記少なくとも１つの移動通信端末から状態情報を受信する過程と、上記コンテンツ提供サーバからプッシュメッセージ伝送要請を受けると上記状態情報を考慮して上記少なくとも１つの通信端末にプッシュメッセージを伝送する過程と、上記プッシュメッセージ伝送によりコンテンツを上記少なくとも１つの移動通信端末に伝送する過程を含むことを特徴とする。
【００１０】
さらに、上記コンテンツサーバからコンテンツの提供を受けて保存する過程及び上記コンテンツサーバから提供を受けたコンテンツの保存時にコンテンツキーを与える過程をさらに含むことを特徴とする。
【００１１】
そして、本発明の目的を達成するための待機画面サービスを提供するための他の方法は、コンテンツ提供サーバ及び少なくとも１つの移動通信端末と連動する待機画面サービスサーバシステムを含む待機画面サービスシステムにおいて、上記待機画面サービスサーバシステムが上記少なくとも１つの移動通信端末から状態情報を受信する過程と、上記待機画面サービスサーバシステムが上記コンテンツ提供サーバからプッシュメッセージ伝送要請を受けると上記状態情報を考慮して上記少なくとも１つの通信端末にプッシュメッセージを伝送する過程と、上記移動通信端末が上記プッシュメッセージに含まれたページユーアールエル（ＵＲＬ）を確認して接続するサーバをブラウジングする過程と、上記ブラウジングされたサーバから該当コンテンツの提供を受けアプリケーションに反映する過程を含むことを特徴とする。
【００１２】
さらに、上記移動通信端末が上記プッシュメッセージを受信すると上記プッシュメッセージに含まれたアプリケーションアクションを行ってから使用者から上記ブラウジングをするための同意を得る過程をさらに含むことを特徴とする。
【００１３】
上記本発明の目的を達成するためのシステムは、少なくとも１つの移動通信端末と連動する待機画面サービスシステムにおいて、コンテンツ提供事業者が提供するコンテンツを保存し、プッシュメッセージ要請をするコンテンツ提供サーバと、上記少なくとも１つの移動通信端末から状態情報を受信し、上記コンテンツ提供サーバからプッシュメッセージ要請を受けると上記状態情報を考慮して上記少なくとも１つの通信端末にプッシュメッセージを伝送し、上記コンテンツ提供サーバから提供されたコンテンツを上記少なくとも１つの移動通信端末に伝送する待機画面サービスサーバシステムを含むことを特徴とする。
【００１４】
さらに、上記待機画面サービスサーバシステムは、上記コンテンツサーバからプッシュメッセージ伝送要請を受け、上記プッシュメッセージ要請時または前後にコンテンツの提供を受けて保存するコンテンツ保存管理サーバと、上記コンテンツ保存管理サーバからプッシュメッセージ要請の伝達を受け、状態情報を要請し、上記状態情報を考慮して上記少なくとも１つの移動通信端末にプッシュメッセージを伝送するプッシュ管理システムサーバと、上記少なくとも１つの移動通信端末から状態情報を受信し、上記状態情報を上記プッシュ管理システムサーバに伝送するモバイル信号インターフェースサーバを含むことを特徴とする。
【００１５】
さらに、上記モバイル信号インターフェースサーバは、上記少なくとも１つの移動通信端末が上記プッシュメッセージを受信することにより伝送したコンテンツ要請信号を受信し、受信されたコンテンツ要請信号を上記コンテンツ保存管理サーバに伝送することを特徴とする。
【００１６】
さらに、上記コンテンツ保存管理サーバは、上記少なくとも１つの移動通信端末からコンテンツ要請信号を受信し上記モバイル信号インターフェースサーバを通じ上記移動通信端末にコンテンツを提供することを特徴とする。
【００１７】
さらに、上記コンテンツ保存管理サーバは自動的に予め保存されたコンテンツを上記移動通信端末に伝送することを特徴とする。
【発明の効果】
【００１８】
上述のように、本発明は使用者によるコンテンツサーバへの接続なしに利用可能な待機画面サービスを提供することができ、使用者の特定要請及び同意なしにまたは使用者の特定要請及び同意の下で特定コンテンツの提供を受けることができ、これによりシステムが自主的に連動システムの間の組合せによって待機画面占有アプリケーション制御ができる効果がある。
【発明を実施するための最良の形態】
【００１９】
以下、本発明の好ましい実施例を添付の図面を参照し詳細に説明する。先ず、各図面の構成要素に参照符号をつけることにおいて、同じ構成要素に限ってはたとえ他の図面上に表示されても可能な限り同じ符号を有するようにしていることに留意しなければならない。そして、本発明を説明することにおいて関わる公知の機能或いは構成に対する具体的な説明が本発明の要旨を不必要に不明確にする恐れがあると判断される場合にはその詳細な説明を省略する。
【００２０】
本発明はウィピ（ＷＩＰＩ）プラットフォーム基盤の待機画面占有型アプリケーションを適用するシステムを例に挙げて説明する。本発明のシステムはコンテンツサービス提供者が要請したプッシュメッセージの中継伝送及びプッシュ（ＰＵＳＨ）によるコンテンツ伝送を処理し、これに対して端末でコンテンツ提供を要請するプル（ＰＵＬＬ）方式により相互情報を交換する。即ち、メッセージを移動通信端末に単方向伝送するプッシュと、プッシュ後アプリケーションからサーバにデータを要請、ダウンロードするプルにメッセージ伝送規格が分けられる。このようなメッセージ伝送規格はメッセージの内容が適合でない場合、移動通信端末に伝送されても所望の結果が得られないため、待機画面サービス提供システムで定義した制限Ｂｙｔｅ、文字列、定義された機能を表現しなければならない。ここで、上記プッシュ（ＰＵＳＨ）は移動通信端末のアプリケーションの動作、機能実行、情報伝達のようにアプリケーションにおいて最終結果が終了する場合が多い。そして、上記プル（ＰＵＬＬ）はプッシュによりアプリケーションがサーバに接続した後データをダウンロードして移動通信端末に保存するまでの過程を意味し、プッシュで直接データ伝送ができないという短所を解決することができる。従って、プル機能発生時、待機画面占有アプリケーションの特性を用いて下記の方式によるプル（ＰＵＬＬ）機能を追加する本発明の実施例を説明する。
【００２１】
本発明は使用者の特定要請及び同意なしにデータ（コンテンツ）を提供するプッシュ＿プル（ＰＵＳＨ＿ＰＵＬＬ）方式と、使用者の特定要請及び同意の下でデータを提供するプッシュアンドプル（ＰＵＳＨ＆ＰＵＬＬ）方式により実施例を説明する。そして、本発明は上記プッシュ_プル方式とプッシュアンドプル方式を夫々登録されたコンテンツをプルするための手動機能及びウェブページをブラウジング（Ｂｒｏｗｓｉｎｇ）するための自動機能に実施例を区分して説明する。このような実施例による待機画面サービスシステム及び待機画面サービスの提供方法は同一に適用され、移動通信端末に伝送されるプッシュメッセージにより区分されることができる。このような実施例によるプッシュメッセージは、後で説明することにし、先ず、上記本発明の実施例による待機画面サービスシステムの構造を添付の図面を参照して説明する。
【００２２】
図１は本発明の好ましい実施例による待機画面サービス提供システムの構造を図示した概略的な構成図である。
【００２３】
上記図１を参照すると、上記待機画面サービスシステムはコンテンツ提供サーバ（Ｃｏｎｔｅｎｔｓ  Ｐｒｏｖｉｄｅｒ  Ｓｅｒｖｅｒ：ＣＰ  Ｓｅｒｖｅｒ）１０１と、コンテンツ管理サーバ（Ｃｏｎｔｅｎｔｓ  Ｃａｓｈｉｎｇ  Ｍａｎａｇｅｒ  Ｓｅｒｖｅｒ：ＣＣＭ  Ｓｅｒｖｅｒ）１０３と、プッシュ管理システムサーバ（Ｐｕｓｈ  Ｍａｎａｇｅ  Ｓｙｓｔｅｍ  Ｓｅｒｖｅｒ：ＰＭＳ  Ｓｅｒｖｅｒ）１０５と、モバイル信号インターフェースサーバ（Ｍｏｂｉｌｅ  Ｓｉｇｎａｌ  Ｉｎｔｅｒｆａｃｅ  Ｓｅｒｖｅｒ：ＭＳＩ  Ｓｅｒｖｅｒ）１１１と、基地局（Ｂａｓｅ  Ｔｒａｎｓｃｅｉｖｅｒ  Ｓｔａｔｉｏｎ：ＢＴＳ）１１３と、メッセージセンター（Ｍａｓｓａｇｅ  Ｃｅｎｔｅｒ）１１５と、顧客／課金管理装置（Ｗｉｒｅｌｅｓｓ  Ｉｎｆｏｒｍａｔｉｏｎ  Ｓｙｓｔｅｍ  Ｅｎｖｉｒｏｎｍｅｎｔ：ＷＩＳＥ）１２１及び移動通信端末１２３を含む。
【００２４】
上記コンテンツ提供サーバ１０１は、コンテンツ提供事業者が提供するコンテンツを保存し、必要な場合は上記コンテンツ保存管理サーバ１０３を通じ使用者へのメッセージプッシュ（ＰＵＳＨ）要請と共にコンテンツを伝送する役割をする。
【００２５】
上記コンテンツ保存管理サーバ１０３は、上記コンテンツ提供サーバ１０１が提供するコンテンツをアップロードし、メッセージプッシュ（ＰＵＳＨ）要請を受信しプッシュ管理システムサーバ１０５へ伝送する中継の役割をする。そして、上記コンテンツ保存管理サーバ１０３は複数のコンテンツ提供サーバ１０１からメッセージプッシュ（ＰＵＳＨ）要請がある場合はメッセージプッシュ（ＰＵＳＨ）の順序をスケジューリングする。
【００２６】
上記プッシュ管理システムサーバ１０５は、上記コンテンツ提供サーバ１０１からコンテンツ保存管理サーバ１０３を通じメッセージプッシュ要請がある場合、メッセージセンター１１５を通じ上記移動通信端末１２３にメッセージを伝送する。そして、上記プッシュ管理システムサーバ１０５は、メッセージセンター１１５を通じ短文メッセージ（ＳＭＳ）を伝送する短文メッセージプッシュサーバ（ＳＭＳ  Ｐｕｓｈ  Ｓｅｒｖｅｒ）１０７及びセル放送（ＣＢＳ）メッセージを伝送するセル放送プッシュサーバ（ＣＢＳ  Ｐｕｓｈ  Ｓｅｒｖｅｒ）１１９を含む。
【００２７】
上記モバイル信号インターフェースサーバ１１１は、移動通信端末１２３のアプリケーションの設定及び解除状態、ティッカー（Ｔｉｃｋｅｒ）チャンネル目録の情報を受信し、プッシュメッセージが移動通信端末１２３に伝送された後、移動通信端末からコンテンツ伝送要請があれば、アプリケーションにコンテンツを伝送する。ここで、上記ティッカー（Ｔｉｃｋｅｒ）は移動通信端末１２３の待機画面に設定された特定領域を通じて特定情報を使用者に提供するサービスのことを言う。
【００２８】
本発明の実施例によりコンテンツ提供サーバ１０１から提供されたコンテンツを移動通信端末１２３に提供するためのシステムを上記コンテンツ保存管理サーバ１０３と、上記プッシュ管理システムサーバ１０５と、上記モバイル信号インターフェースサーバ１１１を含んで待機画面サービスサーバシステムと称する。
【００２９】
上記基地局１１３は、基底帯域信号処理、有無線変換及び無線信号の送受信等を行い、加入者端末と直接連結される網終端装置である。このような上記基地局１１３は無線（ＲＦ）処理部（不図示）と、移動通信プロトコルを処理するチャンネル及び制御器からなる基底帯域処理部（不図示）を含む。そして、上記基地局１１３はコンテンツ提供サーバ１０１の要請によりプッシュメッセージを移動通信端末１２３に伝送し、移動通信端末のコンテンツ要請によりコンテンツ保存管理サーバ１０３からコンテンツ伝送要請がある場合、基地局制御器（不図示）の制御を受け移動通信端末１２３にコンテンツを伝送する。
【００３０】
上記メッセージセンター１１５は、上記短文メッセージプッシュサーバ１０７と連動して移動通信端末１２３に短文メッセージを伝送する短文メッセージサービスセンター（Ｓｈｏｒｔ  Ｍａｓｓａｇｅ  Ｓｅｒｖｉｃｅ  Ｃｅｎｔｅｒ：ＳＭＳＣ）１１７と、上記セル放送プッシュサーバ１０９と連動して移動通信端末１２３にセル放送メッセージを伝送するセル放送サービスセンター（Ｃｅｌｌ  Ｂｒｏａｄｃａｓｔｉｎｇ  Ｓｅｒｖｉｃｅ  Ｃｅｎｔｅｒ：ＣＢＭＣ）１１９を含む。そして、上記メッセージセンター１１５は提供しようとするコンテンツの性質及び使用者層により各メッセージセンター１１５から移動通信端末１２３にプッシュメッセージを伝送する。
【００３１】
上記顧客／課金管理装置（Ｗｉｒｅｌｅｓｓ  Ｉｎｆｏｒｍａｔｉｏｎ  Ｓｙｓｔｅｍ  Ｅｎｖｉｒｏｎｍｅｎｔ：ＷＩＳＥ）１２１は、移動通信サービス業社で顧客の満足のためにＣＳ（Ｃｕｓｔｏｍｅｒ  Ｓａｔｉｓｆｉｅｄ）センター運営を通じ企業のイメージの向上を求めるか、課金方式をＯｎ−ｌｉｎｅで処理し信頼性を向上させるためのシステム構築装置である。そして、上記顧客／課金管理装置１２１は新規使用者の加入及び削除処理、加入者の情報変更及び課金サービス及び中央集中式課金管理等を行う。
【００３２】
上記移動通信端末１２３は、一般的な携帯電話や３ＧＰＰサービスができる端末、ＰＤＡ、スマートフォン等の多様な通信機器になることができ、基本的に通話サービスと共に文字メッセージ、データ通信等が可能な端末機であることができる。このような上記移動通信端末１２３には待機画面サービスアプリケーションが搭載され、上記コンテンツ提供サーバ１０１からプッシュメッセージを受信し自動的にまたは使用者の選択によりコンテンツを受信して表示部に出力する。
【００３３】
上述のような構造を有するシステムにおいて、本発明の実施例により待機画面サービスを提供するための方法に対して添付の図面を参照して具体的に説明する。
【００３４】
図２は本発明の好ましい実施例により待機画面サービスを提供するためのメッセージプッシュ手続とコンテンツプッシュ手続を示す信号の流れ図である。
【００３５】
上記図２を参照すると、上記サービス提供手続は２つに分けることができる。ここで、２つの手続はコンテンツ提供サーバ１０１の要請によりプッシュメッセージを伝送する手続と移動通信端末の要請によりプル（ＰＵＬＬ）コンテンツを提供する手続である。ここで、上記プッシュメッセージは特定のデータ構造を有し、このようなプッシュメッセージの構造は後述する。
【００３６】
２０１段階において、コンテンツ提供サーバ１０１は、コンテンツ保存管理サーバ１０３にコンテンツアップロード（ＣＯＮ＿ＵＰＬＯＡＤ）信号を発信する。ここで、上記コンテンツアップロード信号はコンテンツ提供サーバ１０１がコンテンツ保存管理サーバ１０３にコンテンツをアップロードする信号で、上記アップロード（ＵＰＬＯＡＤ）されたコンテンツは、後に移動通信端末１２３からコンテンツ伝送要請がある場合、引き出されることができるようにコンテンツキーの付与を受ける。
【００３７】
次に、２０３段階において、コンテンツ提供サーバ１０１は、コンテンツ保存管理サーバ１０３にプッシュ要請（ＰＵＳＨ_ＲＥＱ）信号を伝送する。上記プッシュ要請信号は上記コンテンツに対するプッシュメッセージを移動通信端末１２３に伝送することを要請する信号である。ここでは本発明の第１実施例及び第３実施例により登録されたコンテンツをプルするための手動／自動方式を適用する場合、コンテンツをアップロードした後にプッシュメッセージ伝送を要請することと図示したが、コンテンツはプッシュ要請と同時に、または後でアップロードされることもできる。また、本発明の第２実施例及び第４実施例によりＵＲＬをブラウジング（Ｂｒｏｗｓｉｎｇ）するためのサービスの場合はコンテンツをアップロードする過程を省略することもできる。２０５段階においてコンテンツ保存管理サーバ１０３はプッシュ管理システムサーバ１０５にプッシュ要請信号を伝送する。ここで、上記プッシュ要請信号はコンテンツ提供サーバ１０１から受信したプッシュ要請信号を中継するための信号である。
【００３８】
一方、２０７段階において移動通信端末１２３はモバイル信号インターフェースサーバ１１１に状態（ＳＴＡＴＥ）信号を伝送する。上記状態信号は移動通信端末１２３の状態、即ち、通話中であるか、待機中であるか、または待機中の場合、ポップアップアプリケーションの設定状態や解除状態等を示す。これによりモバイル信号インターフェースサーバ１１１は待機画面サービスアプリケーションが搭載された移動通信端末１２３から受信した状態情報をプッシュメッセージ伝送時の基準で管理するようになる。従って、上記状態信号はプッシュメッセージ伝送のための状態要請（ＳＴＡＴＥ_ＲＥＱ）信号の受信直前の状態を示す信号である。
【００３９】
上記プッシュ要請信号を受信したプッシュ管理システムサーバ１０５は、２０９段階においてモバイル信号インターフェースサーバ１１１に状態要請（ＳＴＡＴＥ_ＲＥＱ）信号を伝送する。上記状態要請信号は上記移動通信端末の状態を質疑する信号である。２１１段階において上記モバイル信号インターフェースサーバ１１１は上記プッシュ管理システムサーバ１０５に状態応答（ＳＴＡＴＥ_ＡＣＫ）信号を伝送する。上記状態応答信号は上記状態要請信号に対する応答信号で、移動通信端末１２３の待機状態の可否及びポップアップアプリケーションの設定及び解除状態を知らせるための信号である。
【００４０】
上記モバイル信号インターフェースサーバ１１１から上記状態応答信号を受信すると２１３段階においてプッシュ管理システムサーバ１０５はメッセージセンター１１５と連動して移動通信端末１２３にプッシュメッセージ（ＰＵＳＨ＿ＭＳＧ）を伝送する。上記プッシュメッセージはコンテンツ提供サーバ１０１が提供するコンテンツの種類、コンテンツキー、アプリケーションデータ等を含み、コンテンツの種類により短文メッセージ（ＳＭＳ：Ｓｈｏｒｔ  Ｍｅｓｓａｇｅ  Ｓｅｒｖｉｃｅ）、マルチメディアメッセージングサービス（ＭＭＳ：Ｍｕｌｔｉ  ｍｅｄｉａ  Ｍｅｓｓａｇｉｎｇ  Ｓｅｒｖｉｃｅ）またはセル放送メッセージ（ＣＢＳ）を利用して伝送する。
【００４１】
２１５段階において、上記プッシュメッセージを受信した移動通信端末１２３はモバイル信号インターフェースサーバ１１１にコンテンツ要請（ＣＯＮ＿ＲＥＱ）信号を伝送する。上記コンテンツ要請信号は移動通信端末１２３が受信したプッシュメッセージに相応するコンテンツの提供を要求する信号である。このようなコンテンツ要請信号は２つの方式により発生することができる。即ち、本発明の第１実施例及び第２実施例に従って移動通信端末内のアプリケーションにより自動的に発生する場合（これをＰＵＳＨ＿ＰＵＬＬ方式と定義する）と、本発明の第３実施例及び第４実施例に従って使用者の承認によって移動通信端末内のアプリケーションにより手動で発生する場合（これをＰＵＳＨ＆ＰＵＬＬ方式と定義する）がある。
【００４２】
２１７段階において、上記移動通信端末１２３からコンテンツ要請信号を受信したモバイル信号インターフェースサーバ１１１はコンテンツ保存管理サーバ１０３にコンテンツ要請信号を伝送する。ここで、上記コンテンツ要請信号はコンテンツ保存管理サーバ１０３に保存されているコンテンツの引き出しを要求する信号である。
【００４３】
２１９段階において、コンテンツ保存管理サーバ１０３は上記コンテンツ要請信号に含まれているコンテンツキー値を基礎に移動通信端末１２３が所望するコンテンツをメモリから引き出しモバイル信号インターフェースサーバ１１１に伝送する。ここで、コンテンツはコンテンツ保存管理サーバ１０３に保存及び管理されている場合を示しているが、本発明はこれに限らず、ＵＲＬをブラウジングする等の場合、コンテンツがブラウジングしようとするページがコンテンツ保存管理サーバ１０３に保存されないことがあり、この場合は上記コンテンツ要請信号はコンテンツ提供サーバ１０１に伝送されることができる。
【００４４】
２２１段階において、上記コンテンツを受信したモバイル信号インターフェースサーバ１１１は上記コンテンツを移動通信端末１２３に伝送する。これにより移動通信端末１２３は上記受信したコンテンツを表示部に出力する。
【００４５】
このような待機画面サービスの提供方法において上記プッシュメッセージの伝送後、データをダウンロードするために移動通信端末がサーバに接続時に上述のように待機画面サーバシステムのサーバに接続する場合のみではなく一般通信経路を通じサービス業態のサーバへの接続を通じ待機画面サービスに対するコンテンツ（データ）の提供を受けることができる。
【００４６】
一方、本発明の第２実施例及び第４実施例では、移動通信端末１２３が上記２１３段階においてプッシュメッセージを受信した後上記待機画面サービスサーバシステムに登録されたコンテンツをプルする２１５乃至２２１段階を行う必要がなく、プッシュメッセージにページＵＲＬが含まれ移動通信端末１２３がこれを確認してブラウジングを通じ該当サーバに接続することでコンテンツの提供を受ける。
【００４７】
本発明の実施例によるプッシュメッセージの構造を添付の図面を参照し具体的に説明する。
【００４８】
本発明の第１実施例では、登録されたコンテンツをプル（ＰＵＬＬ）するための自動プッシュアンドプル（ＰＵＳＨ＆ＰＵＬＬ）方式によりコンテンツを提供する場合、即ち、使用者の特定要請及び同意なしにデータ（コンテンツ）を提供する場合のプッシュメッセージについて説明する。このような場合のプッシュメッセージはプッシュ＿プル（ＰＵＳＨ＿ＰＵＬＬ）メッセージと称する。
【００４９】
本発明の第１実施例によるプッシュ＿プルメッセージのペイロード（Ｐａｙｌｏａｄ）は添付の図３に図示されたようなフォーマットを有し、各フィールド別の区分子は'｜'を使用し、アプリケーションのアクション（Ａｃｔｉｏｎ）を伴うプル（ＰＵＬＬ）はコンテンツ受信前、或いは後にアプリケーションが特定のアクションをとるメッセージの形態である。このような本発明の第１実施例ではコンテンツが待機画面サービスシステムのコンテンツ提供サーバまたはコンテンツ保存管理サーバに存在するため、移動通信端末は上記サーバにコンテンツ伝送要請をする。
【００５０】
上記図３を参照すると、上記ＰＵＳＨ＿ＰＵＬＬ方式のプッシュメッセージデータ３００はＭＳＧ＿ＴＹＰＥフィールド３０１、ＣＯＮＴＥＮＴＳ＿ＫＥＹフィールド３０３、ＡＰＰ＿ＤＡＴＡフィールド３０５を含む。上記ＭＳＧ＿ＴＹＰＥフィールド３０１はメッセージの種類を示し、待機画面サービスシステムのコンテンツ提供サーバ１０１またはコンテンツ保存管理サーバ１０３に保存されたコンテンツをプル（ＰＵＬＬ）するためのＰＵＳＨ＿ＰＵＬＬメッセージの場合は０５値を使用し、２バイトの大きさを有する。上記ＣＯＮＴＥＮＴＳ＿ＫＥＹフィールド３０３は保存されたプル対象コンテンツ（データ）のキー値を示し、最大１０バイトの大きさを有する。上記ＡＰＰ＿ＤＡＴＡフィールド３０５はアプリケーションのアクションを定義したメッセージで、最大５０バイトの大きさを有する。ここで、全体のメッセージデータ３００は５５バイトを超えることができない。
【００５１】
次に、本発明の第２実施例では移動通信端末上のウェブページを特定ＵＲＬをブラウジングするための自動ＰＵＳＨ＿ＰＵＬＬ方式によりコンテンツを提供する場合、即ち、使用者の同意なしに特定データ（コンテンツ）を受信しアプリケーションに反映する場合のプッシュメッセージについて説明する。このような場合のプッシュメッセージはプッシュ＿プル（ＰＵＳＨ＿ＰＵＬＬ）メッセージと称する。
【００５２】
本発明の第２実施例によるプッシュ＿プルメッセージのペイロード（Ｐａｙｌｏａｄ）は添付の図４に図示されたようなフォーマットを有し、上記プッシュ＿プルメッセージは各フィールド別の区分子は'｜'を使用し、アプリケーションがコンテンツ提供サーバ１０１が定めたアクションを行ってからブラウザを利用して特定ＵＬＲをブラウジングする。
【００５３】
上記図４を参照すると、プッシュ＿プルメッセージ４００のペイロードは、ＭＳＧ＿ＴＹＰＥフィールド４０１、ＣＡＬＬＢＡＣＫ＿ＵＲＬフィールド４０３及びＡＰＰ＿ＤＡＴＡフィールド４０５を含む。上記ＭＳＧ＿ＴＹＰＥフィールド４０１はメッセージの種類を示し、特定ＵＲＬをブラウジングするためのＰＵＳＨ＿ＰＵＬＬメッセージの場合は０６の値を有し、２バイトの大きさを有する。上記ＣＡＬＬＢＡＣＫ＿ＵＲＬフィールド４０３はブラウジングするための特定ページのＵＲＬを示し、最大１０バイトの大きさを有する。上記ＡＰＰ＿ＤＡＴＡフィールド４０５はアプリケーションのアクションを定義し、最大５０バイトの大きさを有する。全体のメッセージデータ４００は５５バイトを超えることができない。
【００５４】
次に、本発明の第３実施例では、登録されたコンテンツをプル（ＰＵＬＬ）するための手動プッシュアンドプル（ＰＵＳＨ＆ＰＵＬＬ）方式によりコンテンツを提供する場合、即ち、使用者の特定要請及び同意の下でデータ（コンテンツ）を提供する場合のプッシュメッセージについて説明する。このような場合のプッシュメッセージはプッシュアンドプル（ＰＵＳＨ＆ＰＵＬＬ）メッセージと称する。
【００５５】
本発明の第３実施例によるプッシュアンドプルメッセージのペイロード（Ｐａｙｌｏａｄ）は添付の図５に図示されたようなフォーマットを有し、各フィールド別の区分子は'｜'を使用し、コンテンツが待機画面サービスシステムに存在し待機画面サービスシステムのコンテンツ提供サーバ１０１またはコンテンツ保存管理サーバ１０３にコンテンツ伝送要請をする。
【００５６】
上記プッシュアンドプル方式のプッシュメッセージデータ５００はＭＳＧ＿ＴＹＰＥフィールド５０１、ＣＯＮＴＥＮＴＳ＿ＫＥＹフィールド５０３、ＣＯＮＦＩＲＭ＿ＭＳＧフィールド５０５及びＡＰＰ＿ＤＡＴＡフィールド（５０７）を含む。上記ＭＳＧ＿ＴＹＰＥフィールド５０１はメッセージ種類を示し、保存されたコンテンツをプルするためのプルアンドプッシュメッセージの場合は０７の値を使用し、２バイトの大きさを有する。上記ＣＯＮＴＥＮＴＳ＿ＫＥＹフィールド５０３は保存されたプル対象コンテンツのキー値を示し、最大１０バイトの大きさを有する。上記ＣＯＮＦＩＲＭ＿ＭＳＧフィールド５０５は使用者に確認を受けるメッセージデータのためのフィールドである。例えば、"新しい絵が届きました、受信しますか"等の文句を出力しコンテンツをプルする前に使用者の確認を受けるためのもので、最大４０バイトの大きさを有する。プルアクションに対する使用者の確認メッセージ値がない場合は固定されたデフォルト（Ｄｅｆａｕｌｔ）確認メッセージがアプリケーション毎に存在しなければならない。上記ＡＰＰ＿ＤＡＴＡフィールド５０７はアプリケーションのアクションを定義したメッセージで、最大５０バイトを超えることができない。
【００５７】
最後に、本発明の第４実施例では移動通信端末上のウェブページを特定ＵＲＬをブラウジングするための手動プッシュアンドプル（ＰＵＳＨ＆ＰＵＬＬ）方式によりコンテンツを提供する場合、即ち、使用者の特定要請及び同意の下でデータ（コンテンツ）を提供する場合について説明する。このような場合のプッシュメッセージはプッシュアンドプル（ＰＵＳＨ＆ＰＵＬＬ）メッセージと称する。
【００５８】
本発明の第４実施例によるプッシュアンドプルメッセージのペイロード（Ｐａｙｌｏａｄ）は添付の図６に図示されたようなフォーマットを有し、上記プッシュアンドプルメッセージは各フィールド別の区分子は'｜'を使用し、アプリケーションがコンテンツ提供サーバが定めたアクションを行ってから使用者の確認を経てブラウザを利用して特定ＵＲＬをブラウジングするメッセージフォーマットである。
【００５９】
上記図６を参照すると、プッシュアンドプル方式によるプッシュメッセージデータ６００はＭＳＧ＿ＴＹＰＥフィールド６０１、ＣＡＬＬＢＡＣＫ＿ＵＲＬフィールド６０３、ＣＯＮＦＩＲＭ＿ＭＳＧフィールド６０５及びＡＰＰ＿ＤＡＴＡフィールド６０７を含む。上記ＭＳＧ＿ＴＹＰＥフィールド６０１はメッセージの種類を示し、特定ＵＲＬをブラウジングするためのプッシュアンドプルメッセージの場合は０８値を使用し、２バイトの大きさを有する。上記ＣＡＬＬＢＡＣＫ＿ＵＲＬフィールド６０３はブラウジングするための特定ページのＵＲＬを示し、最大５０バイトの大きさを有する。ＣＯＮＦＩＲＭ＿ＭＳＧフィールド６０５は使用者に確認を受けるメッセージデータのためのフィールドである。例えば、"ランキングサーバに接続しますか？"等の文句を出力しコンテンツをＰＵＬＬする前に使用者の確認を受けるためのもので、最大４０バイトの大きさを有する。プルアクション、即ち、特定ＵＲＬをブラウジングすることに対する使用者の確認メッセージ値がない場合は固定されたデフォルト（Ｄｅｆａｕｌｔ）確認メッセージがアプリケーション毎に存在しなければならない。上記ＡＰＰ＿ＤＡＴＡフィールド６０７はアプリケーションアクションを定義したメッセージで、最大５０バイトの大きさを有する。全体のメッセージデータ６００は５５バイトを超えることができない。
【００６０】
一方、本発明の詳細な説明では、具体的な実施例に関して説明したが、本発明の範囲から外れない限度内で様々な変形が可能である。そのため、本発明の範囲は説明した実施例に限らず、上記の発明の請求範囲のみではなく、発明の請求範囲と均等なものにより定められるべきである。
【産業上の利用可能性】
【００６１】
本発明は、待機画面サービスの提供方法及び待機画面サービスシステムに関するもので、コンテンツ提供サーバ及び少なくとも１つの移動通信端末と連動する待機画面サービス提供システムにおいて、上記少なくとも１つの移動通信端末から状態情報を受信し、上記コンテンツ提供サーバからプッシュメッセージ伝送要請を受けると上記状態情報を考慮して上記少なくとも１つの通信端末にプッシュメッセージを伝送し上記プッシュメッセージ伝送によりコンテンツを上記少なくとも１つの移動通信端末に伝送することを特徴とし、使用者によるコンテンツサーバへの接続なしに利用可能な待機画面サービスを提供することができ、使用者の特定要請及び同意なしにまたは使用者の特定要請及び同意の下で特定コンテンツの提供を受けることができ、これによりシステムが自主的に連動システムの間の組合せを経て待機画面占有アプリケーション制御ができる効果がある。
【図面の簡単な説明】
【００６２】
【図１】本発明の好ましい実施例による待機画面サービスシステムの構造を図示した概略的な構成図である。
【図２】本発明の好ましい実施例により待機画面サービスを提供するためのメッセージプッシュ手続とコンテンツプッシュ手続を示す信号の流れ図である。
【図３】本発明の第１実施例により登録されたコンテンツをプル（ＰＵＬＬ）するための自動ＰＵＳＨ＿ＰＵＬＬ方式のプッシュメッセージのデータ構造を示す概念図である。
【図４】本発明の第２実施例により移動通信端末上のウェブページをブラウジングするための自動ＰＵＳＨ＿ＰＵＬＬ方式のプッシュメッセージのデータ構造を示す概念図である。
【図５】本発明の第３実施例により登録されたコンテンツをプル（ＰＵＬＬ）するための手動ＰＵＳＨ＆ＰＵＬＬ方式のプッシュメッセージのデータ構造を示す概念図である。
【図６】本発明の第４実施例により移動通信端末上のウェブページをブラウジングするための手動ＰＵＳＨ＆ＰＵＬＬ方式のプッシュメッセージのデータ構造を示す概念図である。
【図１】
2009530954.tif 000003
【図２】
2009530954.tif 000004
【図３】
2009530954.tif 000005
【図４】
2009530954.tif 000006
【図５】
2009530954.tif 000007
【図６】
2009530954.tif 000008
【国際調査報告】
2009530954.tif 000009
2009530954.tif 000010